(57)【要約】      （修正有）【課題】簡易に移動でき、かつ設置と場所の変更が容易であって、使い勝手が良いハウスのヒートポンプユニットを提供する。【解決手段】ハウスに設置される架台１にヒートポンプの室内外機２，３を、一体形に組付けたヒートポンプユニットであり、ヒートポンプユニットには、防水製でなる電源プラグを取付けるとともに、架台に設けた室内外機との隙間Ｈに設けた鉄パイプからなる取付部材に、ハウスの躯体に張装するビニールを取付ける。【選択図】図１
0003194546.tif 000002
【実用新案登録請求の範囲】
【請求項１】
ハウスの妻面、側面の壁部に跨るように設置される架台には、ヒートポンプの室内外機を、一体形に組付ける構造としたヒートポンプユニットであって、
このヒートポンプユニットには、防水製でなる電源プラグを取付けるとともに、前記架台に設けた前記室内外機との隙間には、鉄パイプでなる取付部材を取付け、この取付部材には、前記ハウスの躯体に張装するビニールを取付ける構成としたハウスのヒートポンプユニット。
【請求項２】
前記室内機は、前記ハウスの妻面の内側に、また、前記室外機は、前記ハウスの妻面の外側に、それぞれ設けるとともに、前記ビニールを、前記隙間に設けた取付部材に取付ける構成とした請求項１に記載のハウスのヒートポンプユニット。
【請求項３】
前記妻面に、凸壁部を形成し、この凸壁部に、前記室内機をセットする構成とした請求項１に記載のハウスのヒートポンプユニット。
【請求項４】
前記妻面に、凹壁部を形成し、この凹壁部に、前記室外機をセットする構成とした請求項１に記載のハウスのヒートポンプユニット。
【請求項５】
前記架台は、少なくとも、二本のチャンネル鋼材を長手方向に配した下部部材と、この下部部材に差渡した、少なくとも、四本のチャンネル鋼材を短手方向に配した上部部材とで構成し、この上部部材に、前記室内外機を取付ける構成とした請求項１に記載のハウスのヒートポンプユニット。
【請求項６】
前記架台は、少なくとも、二本の下部部材で構成してなり、この下部部材が、長手方向に長短自在に構成された請求項５に記載のハウスのヒートポンプユニット。
【請求項７】
前記架台は、少なくとも、四本の上部部材で構成してなり、この上部部材が、短手方向に長短自在に構成された請求項５に記載のハウスのヒートポンプユニット。
【考案の詳細な説明】
【技術分野】
【０００１】
本考案は、ハウスのどこでも使用が可能なヒートポンプユニット（ヒートポンプ）に関する。
【背景技術】
【０００２】
近時、地球環境の維持（地球の生態系の維持）と、又は石油燃料の高騰を背景として、この種のヒートポンプを始めとして、暖房機、地中熱、他の熱源を選択的に使用して、燃料の効率化、かつＣＯ２削減（ＣＯ２の発生抑制）を図る構成としたハウス内の暖房装置がある。この中で、使用が簡便で、効率的に暖房ができること、又は前述した地球環境維持と、ＣＯ２削減に有益であること等の面から、ヒートポンプが重宝されている。
また、近時、要望されつつあるのが、ヒートポンプを、簡易に移動できること、又は設置と場所を変更することが容易であること、等に関することである。所謂、使い勝手が良い構造である。
【０００３】
この要望に応え得る構造を、先行文献を参考として検討すると、次のような発明がある。
【０００４】
発明１（文献１）は、特開２０１１−１８８７８５号公報に記載の構造であって、その要旨は、共通架台（１８）に室外ユニット（２）と、室内ユニット（１）を一体型に設けた構成であり、ハウスの適所に移動可能な構造である。但し、室内外ユニット（１）、（２）を、ハウス（２０）の壁面の外側に配備し、室内ユニット（１）の開口とハウス（２０）の壁の開口とをダクト（１６）で繋ぐ構成（図１１の例）である。
【０００５】
発明２（文献２）は、特開２００３−３３３９３７号公報に記載の構造であって、ハウスより小型の育成室（２）に、支持台（３）を配備し、支持台３に室内外機（１１Ａ）、（１１Ｂ）「空調機（１１）」を設け、この室内外機（１１Ａ）、（１１Ｂ）の間に、シート（４）を設けることで、室内機（１１Ａ）を、育成室（２）内に、室外機（１１Ｂ）を、育成室（２）外に、それぞれ設ける構成である。この空調機（１１）は、ヒートポンプとは異なり、通常、云われている空調機である。支持台（３）の移動はない（図１の例）。
【０００６】
【特許文献１】特開２０１１−１８８７８５号公報
【特許文献２】特開２００３−３３３９３７号公報
【考案の概要】
【考案が解決しようとする課題】
【０００７】
前記文献（１）は、ハウスの適所に移動可能としても、室内外ユニット（１）、（２）は、ハウス外に設置される構造であり、ダクト（１６）で繋ぐ必要があり、手間を要すること、室内機が剥き出し式であり、雨水対策を要し、面倒であり、かつ故障の原因となること、等の改良の余地がある。
【０００８】
また、文献（２）は、ハウスに採用するには、構造上で問題があり、かつ実質的に育成室という限定された使用である。また、空調機も、ヒートポンプとは異なることは明白である。
【課題を解決するための手段】
【０００９】
上記に鑑み、本発明は、ヒートポンプを、簡易に移動できること、又は設置と場所を変更することが容易であること、等に関する。所謂、使い勝手が良い構造である。即ち、「どこでもヒーポンユニット」をトラクターで移動し、その後、電源を繋ぐだけで、どこでもヒートポンプの使用が可能な構造を提案する。具体的には、請求項１〜請求項７の提供である。
【考案の効果】
【００１０】
請求項１の考案は、ハウスの妻面、側面の壁部に跨るように設置される架台には、ヒートポンプの室内外機を、一体形に組付ける構造としたヒートポンプユニットであって、
ヒートポンプユニットには、防水製でなる電源プラグを取付けるとともに、架台に設けた室内外機との隙間には、鉄パイプでなる取付部材を取付け、取付部材には、ハウスの躯体に張装するビニールを取付けるハウスのヒートポンプユニットであり、ヒートポンプを、簡易に移動できること、又は設置と場所を変更することが容易であること、等の特徴がある。従って、ヒートポンプは、使い勝手が良い構造である。さらに、「どこでもヒーポンユニット」をトラクターで移動し、その後、電源を繋ぐだけで、どこでもヒートポンプの使用が可能な構造であり、有益性を有する。
【００１１】
請求項２の考案は、室内機は、ハウスの妻面の内側に、また、室外機は、ハウスの妻面の外側に、それぞれ設けるとともに、ビニールを、隙間に設けた取付部材に取付けるハウスのヒートポンプユニットであり、請求項１に記載の特徴と、どこでもヒートポンプの使用が可能な構造であり、有益性を有すること、並びにこの特徴と有益性を確保するために、最適な室内外機とビニールとの連携構造を提案できる。
【００１２】
請求項３の考案は、妻面に、凸壁部を形成し、凸壁部に、室内機をセットするハウスのヒートポンプユニットであり、請求項１に記載の特徴と、どこでもヒートポンプの使用が可能な構造であり、有益性を有すること、並びにこの特徴と有益性を確保するために、最適な妻面に、凸壁部の形成を提案できる。
【００１３】
請求項４の考案は、妻面に、凹壁部を形成し、この凹壁部に、前記室外機をセットするハウスのヒートポンプユニットであり、請求項１に記載の特徴と、どこでもヒートポンプの使用が可能な構造であり、有益性を有すること、並びにこの特徴と有益性を確保するために、最適な妻面に、凹壁部の形成を提案できる。
【００１４】
請求項５の考案は、架台は、少なくとも、二本のチャンネル鋼材を長手方向に配した下部部材と、下部部材に差渡した、少なくとも、四本のチャンネル鋼材を短手方向に配した上部部材とで構成し、上部部材に、室内外機を取付けるハウスのヒートポンプユニットであり、請求項１に記載の特徴と、どこでもヒートポンプの使用が可能な構造であり、有益性を有すること、並びにこの特徴と有益性を確保するために、最適な架台の構造を提案できる。
【００１５】
請求項６の考案は、架台は、少なくとも、二本の下部部材で構成してなり、下部部材が、長手方向に長短自在であるハウスのヒートポンプユニットであり、請求項１に記載の特徴と、どこでもヒートポンプの使用が可能な構造であり、有益性を有すること、並びにこの特徴と有益性を確保するために、最適な架台の構造を提案できる。
【００１６】
請求項７の考案は、架台は、少なくとも、四本の上部部材で構成してなり、上部部材が、短手方向に長短自在であるハウスのヒートポンプユニットであり、請求項１に記載の特徴と、どこでもヒートポンプの使用が可能な構造であり、有益性を有すること、並びにこの特徴と有益性を確保するために、最適な架台の構造を提案できる。
【図面の簡単な説明】
【００１７】
【図１】本考案のヒートポンプユニットの一例を示した側面模式図
【図２】本考案のヒートポンプユニットの一例を示した平面模式図
【図３】本考案のヒートポンプユニットの室外機を、架台の一方側に取付ける状態を示した正面（ハウス外より視た）模式図
【図４】本考案のヒートポンプユニットの室内機を、架台の他方側に取付ける状態を示した正面（ハウス内より視た）模式図
【図５】本考案のヒートポンプユニットの架台の一例を示した側面模式図
【図６】本考案のヒートポンプユニットの架台の一例を示した平面模式図
【図７−１】本考案の架台の下部部材が、長短する一例を示した平面模式図
【図７−２】本考案の架台の上部部材が、長短する一例を示した平面模式図
【図８】本考案の設置例１を示したハウスの側面模式図
【図９】本考案の設置例１を示したハウスの平面模式図
【図１０】本考案の設置例２を示したハウスの側面模式図
【図１１】本考案の設置例２を示したハウスの平面模式図
【考案を実施するための形態】
【００１８】
以下、本考案の各実施例を説明する。各実施例は、好ましい、一例であり、以下の説明に限定されない。
【００１９】
図１〜図６に示したヒートポンプユニットＡは、後述する構成でなる架台１と、架台１の長手方向１ａの一方側１−１（ハウスＢ内に収まる側）の上部部材１０１に、着脱自在に取付けた室内機２と、この架台１の長手方向１ａの他方側１−２（ハウスＢ外に設けられる側）の上部部材１０１に、着脱自在に取付けた室外機３と、で構成される。
【００２０】
架台１は、少なくとも、二本のチャンネル鋼材を長手方向１ａに配した下部部材１００と、下部部材１００に差渡した、少なくとも、四本のチャンネル鋼材を短手方向１ｂに配した上部部材１０１とで構成する。尚、一例であるが、下部部材１００の長手方向１ａの寸法は、一例では、１６００ｍｍ程度とする。また、上部部材１０１の短手方向１ｂの寸法は、一例では、９００ｍｍ程度とする。この一例では、下部部材１００と上部部材１０１は、溶接で固定するが、組付け方式、螺子留め方式、或いは嵌合方式でも可能である。
【００２１】
この架台１の一方側１−１の第１上部部材１０１には、室内機２の下端の脚板２００（支持ブラケット）を螺子５留めで取付ける。また、架台１の他方側１−２の第１上部部材１０１には、室外機３の下端の脚板３００（支持ブラケット）を螺子５留めで取付ける。
【００２２】
図３と図４は、架台１の一方側１−１の上部部材１０１に室内機２を取付け、架台１の他方側１−２の上部部材１０１に室外機３を取付けた、各一例であり、好ましいヒートポンプユニットＡの取付け方を示している。
【００２３】
また、図７−１、図７−２に示した、下部部材１００と上部部材１０１とは、それぞれ長短自在（長さを変更できる）構造であり、例えば、下部部材１００（上部部材１０１）を、対とし（複数も可能）、第１下部部材１００と第２下部部材１００とし、この第１下部部材１００と第２下部部材１００とを、長孔１００ａ構造と止具１００ｂとにより、長手方向１ａにおいて、長短可能とする。これにより、室内機２、及び／又は、室外機３の位置を、長手方向１ａにおいて変更できる。また、上部部材１０１に設けた、対の（複数も可能）、第１上部部材１０１と第２上部部材１０１とし、第１上部部材１０１と第２上部部材１０１との端部において、長孔１０１ａ構造と止具１０１ｂとにより、短手方向１ｂにおいて、長短可能とする。これにより、室内機２、及び／又は、室外機３の位置を、短手方向１ｂにおいて変更できる。以上の構造を利用することで、それぞれのハウスＢの態様に沿って、本考案のヒートポンプユニットＡの設置が可能となる。
【００２４】
前述した架台１に室内外機２、３を取付けたヒートポンプユニットＡを、ハウスＢに設置するのに好ましい、設置例１、２を以下に説明する。
図８と図９に示した設置例１の構成は、ハウスＢの妻面Ｂ１００に、妻面Ｂ１００に跨るように架台ヒートポンプユニットＡを設置する一例であり、ハウスＢの妻面Ｂ１００に、凸壁部Ｂ１００ａを形成し、凸壁部Ｂ１００ａで、かつハウスＢ内側に、架台１の一方側１−１に取付けた室内機２を設置し、またハウスＢの妻面Ｂ１００で、かつ凸壁部Ｂ１００ａの外側に、架台１の他方側１−２に取付けた室外機３を設置した構造であり、ビニールＣの下端を、架台１の室内機２と室外機３で形成される隙間Ｈに設けた取付部材（架台１の短手方向１ｂに設けた、例えば、パイプ６）に、接着、又は捲装等を利用して取付け、かつ妻面Ｂ１００が地面、及び地面等と密着状態とする。従って、本考案は、ダクトレスである。その後、図示しないが、冷媒配管工事と防水型電源プラグを取付けて完了する。これにより、電源を繋ぐだけで、どこでもヒートポンプ使用が可能な構造である。また、本考案は、架台１の下部部材１００、及び／又は、上部部材１０１が長短自在であり、汎用性があり、かつ室内外機２、３の設置位置を変更でき、温度管理とか、設置の自由度、又は外気状況対応等に有益であり、重宝する。
【００２５】
図１０と図１１に示した設置例２の構成は、ハウスＢの妻面Ｂ１００に、妻面Ｂ１００に跨るようにヒートポンプユニットＡを設置する他の一例であり、ハウスＢの妻面Ｂ１００に、凹壁部Ｂ１００ｂを形成し、凹壁部Ｂ１００ｂで、かつハウスＢ内側に、架台１の一方側１−１に取付けた室内機２を設置し、またハウスＢの妻面Ｂ１００の凹壁部Ｂ１００ｂで、かつハウスＢの外側に、架台１の他方側１−２に取付けた室外機３を設置した構造であり、ビニールＣの下端を、架台１の室内機２と室外機３で形成される隙間Ｈに設けた取付部材（架台１の短手方向１ｂに設けた、例えば、パイプ６）に、接着、又は捲装等を利用して取付け、かつ妻面Ｂ１００のビニールＣが地面、及び地面等と密着状態とする。従って、本考案は、ダクトレスである。その他は、設置例１に準ずる。
【００２６】
以上で説明した、ヒートポンプユニットＡの構造と、その特徴、又は架台１の構造と、その特徴等の説明等は、好ましい一例を示したものである。従って、前述の条件に、何ら、拘泥される理由はなく、例えば、同様な効果と特徴を発揮できる、他の実施例や、その他の構造・手段は、本考案の範疇である。
【符号の説明】
【００２７】
１  架台
１００  下部部材
１００ａ  長孔
１００ｂ  止具
１０１  上部部材
１０１ａ  長孔
１０１ｂ  止具
１ａ  長手方向
１ｂ  短手方向
１−１  一方側
１−２  他方側
２  室内機
２００  脚板
３  室外機
３００  脚板
５  螺子
６  パイプ
Ａ  ヒートポンプユニット
Ｂ  ハウス
Ｂ１００  妻面
Ｂ１００ａ  凸壁部
Ｂ１００ｂ  凹壁部
Ｃ  ビニール
Ｈ  隙間
【図１】
0003194546.tif 000003
【図２】
0003194546.tif 000004
【図３】
0003194546.tif 000005
【図４】
0003194546.tif 000006
【図５】
0003194546.tif 000007
【図６】
0003194546.tif 000008
【図７−１】
0003194546.tif 000009
【図７−２】
0003194546.tif 000010
【図８】
0003194546.tif 000011
【図９】
0003194546.tif 000012
【図１０】
0003194546.tif 000013
【図１１】
0003194546.tif 000014